(57)【要約】【課題】  押出し操作によって貯留する液体を適量分だけ流出可能なポンプボトルに対してコミカルな表現動作を付与し子供達に自主的な手洗い等を行うよう導く。【解決手段】  ポンプボトル玩具を、液体を貯留するボトル体１と、ボトル体１に吸引部を挿入し押出し部の操作により格納する付勢手段Ｓを収縮させた際にボトル体内の液体を流出するポンプ手段２と、ポンプ手段２の押出し部２ａを突出しボトル体１を格納する動物・人形・架空生物等の外形を模倣してなる外側装飾容器３と、ボトル体１と外側装飾容器３との間隙に介在しポンプ手段２の押出し部２ａと連結され押出し部２ａとともに往復動する移動体４と、外側装飾容器３に形成された貫通孔に挿通され移動体４と外側装飾容器３とのいずれに対しても連結され移動体４の移動によって運動する可動部材５と、を具えて構成する。【選択図】図４
2012153431.tif 000002
【特許請求の範囲】
【請求項１】
押出し操作により貯留する液体を適量分だけ流出可能で操作時にコミカルな動作を演出可能としたポンプボトル玩具であって、
このポンプボトル玩具を、
液体を貯留するボトル体と、
前記ボトル体に吸引部を挿入し押出し部の操作により格納する付勢手段を収縮させた際にボトル体内の液体を流出するポンプ手段と、
前記ポンプ手段の押出し部を突出し前記ボトル体を格納する動物・人形・架空生物等の外形を模倣してなる外側装飾容器と、
前記ボトル体と前記外側装飾容器との間隙に介在し前記ポンプ手段の押出し部と連結され押出し部とともに往復動する移動体と、
外側装飾容器に形成された貫通孔に挿通され移動体と外側装飾容器とのいずれに対しても連結され移動体の移動によって運動する可動部材と、
を具えて構成したことを特徴とするポンプボトル玩具。
【請求項２】
前記可動部材は前記移動体あるいは前記外側装飾容器に回動可能に軸支され先端部位を外側装飾容器より突出した腕、翼、足、耳、尾等の身体駆動部を模倣してなる部材により構成したことを特徴とする請求項１記載のポンプボトル玩具。
【請求項３】
動物・人形・架空生物等の外形を模倣した前記外側装飾容器に目を模る貫通孔を形成するとともに、前記移動体には往復動の各停止位置に対向する貫通孔対向面に瞳の絵模様を設けたことを特徴とする請求項１または請求項２記載のポンプボトル玩具。
【請求項４】
動物・人形・架空生物等の外形を模倣した前記外側装飾容器に下顎を模る部材を開閉自在に軸支し、この下顎を外側装飾容器に回動可能に軸支される回動部材を介して前記移動体と連結し、移動体の往復動に連動して開閉動するよう構成したことを特徴とする請求項１ないし請求項３いずれか記載のポンプボトル玩具。
【発明の詳細な説明】
【技術分野】
【０００１】  この発明は、押出し操作により貯留する液体を適量分だけ流出可能なポンプボトル玩具に関し、詳しくは押出し操作に伴いコミカルな動作をなすポンプボトル玩具に関するものである。
【背景技術】
【０００２】  近年の新型インフルエンザは感染率が高く世界保健機構（ＷＨＯ）はインフルエンザの世界的流行（パンデミック）が生じる可能性があることを警告している。
こうしたインフルエンザの流行を阻止するため大勢の人が集まるイベント等を中止する傾向があり、新聞やテレビ等ではなるべく人混みの多い場所への立ち入りを避けた方が良い事を伝えている。
しかしながら社会人は人混みの多い電車やバス等を利用せざるを得ず、また職場においても多くの人と会わざるを得ない。【０００３】  新型インフルエンザに代表されるような病原菌への感染を予防するためには「マスク」の着用と「手洗い」は極めて重要であり人から人への感染を防止する最も効果的な手段として定着している。【０００４】  一方、こうした大人の感染予防と異なり子供達は人から人への感染の危険性は低い。すなわち子供達は混雑する電車やバスそしてイベント会場のような人混みの多い場所に出向く機会は極めて少ない。
子供達にとっては手洗い、すなわち「手指衛生」が重要である。子供は大人のように細菌に対する知識がないので目にする物を好奇心に任せて触る傾向があり、その手を洗わずに帰宅することが考えられる。
帰宅時の手洗いは何より細菌の除去が主たる目的であり洗剤メーカーも子供達でも容易に泡が立つ子供用の液体石鹸等を提供している。【０００５】  またここ数年のインフルエンザの猛威を考慮して本格的な殺菌が可能な医療用の殺菌剤を設置する場所も多くなってきており、これらの殺菌剤は今日では一般家庭にも普及し始めている。【０００６】  殺菌剤は「速乾性手指消毒薬」と称される消毒液で、この消毒液は比較的短時間で気化するので水やタオルを必要とすることなく殺菌剤を付けて手をこするようにするだけで高い殺菌作用が得られる。こうした殺菌剤は通常「押出し式ポンプボトル」に入れられているものが殆どである。【０００７】  ところでこうした液体石鹸や殺菌剤は大人が使用することを目的としている物が大半であり肝心な子供達への配慮がなされていないのが現状である。
すなわち大人は細菌に対する意識がはっきりしているので自ら進んで手指衛生を心がけるが、子供達は手指衛生を怠ればどのような事態を引き起こすか理解出来ない。このため子供達は親から手洗いを無理に強制され嫌々行っているのが現状である。【０００８】  こうした不都合を解決するために本願出願人は子供達が手洗いを遊び感覚で楽しめるように下記特許文献１のポンプボトル玩具を発明するとともに当該ポンプボトル玩具の提供を行ってきた。このポンプボトル玩具は子グマの形をなしており押出し操作の際に腕を上げるユーモラスな仕草をなすもので子供達に大変好評を得ている。
【特許文献１】特許第４３０３６９４号公報
【発明の開示】
【発明が解決しようとする課題】
【０００９】  しかしながら上記特許文献１のポンプボトルの操作性を再度詳しく検討した結果、下記に示すいくつかの不備があることが判明し、この不備を解決するために更なる改良を重ね本願発明に至った。
特許文献１に開示されるポンプボトルは、ポンプ自体が格納するスプリングと、ボトル体の下方に設置した付勢手段（スプリング）との両者を同時に収縮させなければならず、力の無い幼児達においてはその操作が困難であった。【００１０】  また、ポンプ自体が格納するスプリングとボトル体下方の付勢手段（スプリング）との両者を収縮させると収縮する距離が長くなり、それに伴い液体の流出部が大きく下降して流出部が手の平に当たるという問題も生じた。
【課題を解決するための手段】
【００１１】  この発明に係るポンプボトル玩具は上記従来の課題を解決するためになされたものでありポンプボトル玩具を、液体を貯留するボトル体と、ボトル体に吸引部を挿入し押出し部の操作により格納する付勢手段を収縮させた際にボトル体内の液体を流出するポンプ手段と、ポンプ手段の押出し部を突出しボトル体を格納する動物・人形・架空生物等の外形を模倣してなる外側装飾容器と、ボトル体と外側装飾容器との間隙に介在しポンプ手段の押出し部と連結され押出し部とともに往復動する移動体と、外側装飾容器に形成された貫通孔に挿通され移動体と外側装飾容器とのいずれに対しても連結され移動体の移動によって運動する可動部材と、を具えて構成する。【００１２】  また、前記可動部材は前記移動体あるいは前記外側装飾容器に回動可能に軸支され先端部位を外側装飾容器より突出した腕、翼、足、耳、尾等の身体駆動部を模倣してなる部材により構成する。【００１３】  また、動物・人形・架空生物等の外形を模倣した前記外側装飾容器に目を模る貫通孔を形成するとともに、前記移動体には往復動の各停止位置に対向する貫通孔対向面に瞳の絵模様を設けて構成する。【００１４】  また、動物・人形・架空生物等の外形を模倣した前記外側装飾容器に下顎を模る部材を開閉自在に軸支し、この下顎を外側装飾容器に回動可能に軸支される回動部材を介して前記移動体と連結し、移動体の往復動に連動して開閉動するよう構成することで上記従来の課題を解決しようとするものである。
【発明の効果】
【００１５】  この発明に係るポンプボトル玩具は上記従来の技術においては必須な部品であるボトル体下方の付勢手段（スプリング）を省略することが可能となる。これによってポンプ自体が格納するスプリングだけを収縮させることで液体を流出させるとともに玩具に動きを付与する事が可能であり、力の弱い幼児であってもその操作が容易に行える。
またポンプ自体が格納するスプリングを収縮させるのみで良いので流出部の下降は短く流出部が手の平に当たってしまう不都合も解消される。
【発明を実施するための最良の形態】
【００１６】  図面に基づいてこの発明の実施の形態を説明する。図１はこの発明の請求項第１項、第２項、第３項、第４項に係るポンプボトル玩具の一実施形態を示す正面図であり図２は図１に示したポンプボトル玩具の構成を示す断面図である。
図１に示すようにこのポンプボトル玩具は垂れ下がった耳が特徴のビーグル犬を模した外形をなしている。そしてこの玩具の内部には図２に示すように液体石鹸や殺菌液等の液体を貯留するためのボトル体１が格納されている。このボトル体１は上端に液体の流入口を備え液体石鹸や殺菌液の詰め替えが可能となっている。【００１７】  一方図に示す２はポンプ手段であり、このポンプ手段２は広く一般に利用されている液体用のポンプでありボトル体１の流入口に着脱可能となっていて、上端部の押出し部２ａを下方に向けて押すと内部に格納している付勢手段としてのスプリングＳが収縮しボトル体１が貯留する液体を適量分だけ流出するようになっている。そして押出し部２ａを開放するとスプリングＳが押出し部２ａを元の位置まで上昇させるものである。【００１８】  また図１に示す３は外側装飾容器であり、この外側装飾容器３はポンプ手段２の押出し部２ａを外部に突出しボトル体１を収納するよう構成されていて図２に示すように外側装飾容器３とボトル体１との間には空隙が設けられている。【００１９】  そして４はボトル体１と外側装飾容器３との間に介在する移動体であり、この移動体４は上部をポンプ手段２の押出し部２ａと連結部材４ａを介して連結されていてボトル体１の両側面に垂直に形成されるガイド溝（不図示）に一部を挿入し押出し部２ａとともに上下方向に往復移動するようになっている。
また連結部材４ａはポンプ手段２を覆う筒状の部材であり、この連結部材４ａは分離および合体が可能な一対の部材からなりポンプ手段２に対し着脱自在となっていて下端を移動体４の上端に接し、上端はポンプ手段２の押出し部２ａ下端近傍に位置している。【００２０】  一方図に示す５は可動部材であり、この例において可動部材５は耳５ａを模した物が左右二つ、そして腕５ｂを模したものも左右二つ設けられている。そしてこれらの各可動部材は図２に示すようにそれぞれピンＰにより外側装飾容器３に対して回動可能に支持され外側装飾容器３に設けられた孔部から突出するよう設けられている。
そしてこれら各可動部材５は、ピンＰより内側方向に延長して設けられる連結片を備えていて、これら各連結片は移動体４に形成される貫通孔にそれぞれ挿入されている。【００２１】  また図１に示す６は外側装飾容器３の目を模る円形の貫通孔であり、この貫通孔６に対向する移動体４の対向面には図２に示すような瞳の絵模様が上下に一対描かれていて図１に示す状態、すなわちポンプ手段２を押し下げていない状態にあっては下方側の絵模様７が貫通孔６から見えるようになっている。【００２２】  一方、図３はこのビーグル犬の形状をなすポンプボトル玩具の「口元」を示す断面図である。図３（ａ）に示す８は犬の下顎であり、この下顎８は外側装飾容器３に設けられたピンＰによって回動可能に支持されていてピンＰより内部方向に延長して形成される当接片を有している。
また図３（ａ）に示す９は回動部材であり、この回動部材９も外側装飾容器３に設けられたピンＰによって回動可能となっていてピンＰを中心にして図において左右に平坦な上面が形成されている。そして回動部材９の各上面は図に示すように一方面が下顎８の当接片と、他方面が移動体４と、それぞれ接している。【００２３】  次に以上の構成からなるこのポンプボトル玩具の作用を説明する。
図１に示すようにポンプボトル玩具は常には両耳５ａと両腕５ｂを下げている。そして両目としての貫通孔６からは下方側の絵模様が見られ図において右側に瞳を向けてよそ見をしているような表情となっている。また口は閉じた状態となっている。【００２４】  この状態からポンプ手段２の押出し部２ａを下げてボトル体１内の液体を流出させると図４に示すように移動体４は押出し部２ａとともに下降し外装装飾容器３の孔部から突出している両耳５ａと両腕５ｂはピンＰを軸にして共に上昇し図５に示すように驚いた様な動きをなす。【００２５】  一方、移動体４の下降によって絵模様７も下降して貫通孔６とは上方側に描かれた瞳の絵模様が対向することになる。これによって図５に示すように左側に瞳を移動した表情へと変化する。【００２６】  そしてまた移動体４の下降により図３（ｂ）に示すように回動部材９はピンＰを中心に図において半時計方向に回動し下顎８の当接片を上昇させ下顎８を図５に示すように開くように動かすことが出来る。【００２７】  そしてポンプ手段２から手を離すとポンプ手段２のスプリングＳが押出し部２ａと移動体４の両者を元の位置へと上昇させるので両耳５ａおよび両腕５ｂは図１に示す元の位置となり、また両目も元の表情になり口元も閉じた状態へ復帰する。
この発明に係るポンプボトル玩具は通常のポンプボトルの操作を行うことで上述したように両耳５ａ両腕５ｂを上げて驚いたようなコミカルな動きをなすと共に瞳をクリクリと移動する可愛い表情を見せる。そして口元を開閉する動物らしい動きも同時に表現することが可能である。【００２８】  このポンプボトル玩具によれば面倒でつまらない手洗い作業を遊び感覚の面白い作業にすることが出来る。これによって幼児達が自ら進んで手洗いを実行する習慣性を養うことが可能となる。
また上記従来のポンプボトルと比較してポンプ手段２のスプリングＳを押し下げるのみで良いので力の無い幼児であってもその作業は容易に行える。
そしてポンプ手段２のスプリングＳを押し下げるだけなので押出し部２ａの下降距離は短く押出し部２ａが手の平に当たってしまう不都合も解消することが出来る。【００２９】  なおこの実施例では可動部材を耳と腕によって構成する例を示したが可動部材はこれに限るものではなく、可動部材を例えば「翼」や「尾」等の動物や架空生物等の身体の可動部で構成しても良いことは無論である。
【図面の簡単な説明】
【００３０】
【図１】  本発明のポンプボトル玩具を示す正面図である。
【図２】  図１に示したポンプボトル玩具の内部構造を示す断面図である。
【図３】  図１に示したポンプボトル玩具の口元の構造、作用を示す断面図である。
【図４】  図１に示したポンプボトル玩具の作用を示す断面図である。
【図５】  図１に示したポンプボトル玩具の作用を示す正面図である。
【符号の説明】
【００３１】  １  ボトル体
２  ポンプ手段
３  外側装飾容器
４  移動体
５  可動部材
６  貫通孔
７  絵模様
８  下顎
９  回動部材
Ｓ  付勢手段（スプリング）
【図１】
2012153431.tif 000003
【図２】
2012153431.tif 000004
【図３】
2012153431.tif 000005
【図４】
2012153431.tif 000006
【図５】
2012153431.tif 000007